(57)【特許請求の範囲】
【請求項１】
移動端末に用いられる信号カバレッジホールの事前提示方法であって、
前記移動端末を測位して、前記移動端末の現在位置情報を取得することと、
前記移動端末の現在位置とカバレッジホールリストに記録されている各カバレッジホール境界点位置との間の距離を決定することと、
前記距離のうちの１つ又は複数が予め設定された第１カバレッジホール距離閾値以下である時、ユーザに信号カバレッジホールへの接近中を提示することと、
前記カバレッジホールリストにカバレッジホール境界点位置情報を追加することと、を含み、
前記カバレッジホールリストにカバレッジホール境界点位置情報を追加するステップは、
前記移動端末で受信される無線信号強度が、予め設定されたカバレッジホール信号強度閾値以上から前記予め設定されたカバレッジホール信号強度閾値未満に変化したかどうかを検出し、変化すると、前記移動端末を測位して前記移動端末の現在位置情報を取得することと、
前記カバレッジホールリスト中に、前記移動端末の現在位置情報と同一又は類似の位置情報記録が存在するか否かを判定し、存在しないと、前記移動端末の現在位置情報を新たなカバレッジホール境界点位置情報として前記カバレッジホールリストに記憶することと、を含み、
２つの位置情報が類似又は同一であることは、２つの位置情報に対応する位置の間の距離が距離識別閾値以下であることを意味する信号カバレッジホールの事前提示方法。
【請求項２】
前記カバレッジホールリストからカバレッジホール境界点位置情報を削除することをさらに含み、
前記カバレッジホールリストからカバレッジホール境界点位置情報を削除するステップは、
前記移動端末で現在受信される無線信号強度が、前記予め設定されたカバレッジホール信号強度閾値以上であり、且つ前記移動端末の現在位置と前記カバレッジホールリストに記録されている１つ又は複数のカバレッジホール境界点位置との間の距離が予め設定された第２カバレッジホール距離閾値以下であることを検出した時、前記カバレッジホールリストから、前記移動端末の現在位置との距離が前記予め設定された第２カバレッジホール距離閾値以下のカバレッジホール境界点の記録を削除することを含み、
前記第２カバレッジホール距離閾値が前記第１カバレッジホール距離閾値未満である請求項１に記載の方法。
【請求項３】
前記移動端末を測位して前記移動端末の現在位置情報を取得する前、前記移動端末が信号カバレッジホール事前提示機能をオンにしているか否かを判定し、オンにしていると、前記移動端末を測位して前記移動端末の現在位置情報を取得することをさらに含む請求項１に記載の方法。
【請求項４】
前記移動端末の現在位置情報は、前記移動端末の所在する経緯度座標を含む請求項１に記載の方法。
【請求項５】
移動端末に用いられる信号カバレッジホールの事前提示システムであって、
前記移動端末を測位して前記移動端末の現在位置情報を取得するように設定される測位モジュールと、
前記移動端末の現在位置とカバレッジホールリストに記録されている各カバレッジホール境界点位置との間の距離を決定するように設定される距離算出モジュールと、
前記距離のうちの１つ又は複数が予め設定された第１カバレッジホール距離閾値以下である時、ユーザに対し信号カバレッジホールへの接近中を提示するように設定されるカバレッジホール判定及び提示モジュールと、
前記カバレッジホールリストにカバレッジホール境界点位置情報を追加するように設定されるカバレッジホール情報追加モジュールと、を含み、
前記カバレッジホール情報追加モジュールは、検出ユニット、及び情報追加ユニットを含み、
前記検出ユニットは、前記移動端末で受信される無線信号強度が予め設定されたカバレッジホール信号強度閾値以上から前記予め設定されたカバレッジホール信号強度閾値未満に変化したかどうかを検出し、変化すると、前記移動端末を測位して前記移動端末の現在位置情報を取得し、前記情報追加ユニットをオンにするように設定され、
前記情報追加ユニットは、前記カバレッジホールリスト中に、前記移動端末の現在位置情報と同一又は類似の位置情報記録が存在するか否かを判定し、存在しないと、前記移動端末の現在位置情報を新たなカバレッジホール境界点位置情報として前記カバレッジホールリストに記憶するように設定され、
２つの位置情報が類似又は同一であることは、２つの位置情報に対応する位置の間の距離が距離識別閾値以下であることを意味する信号カバレッジホールの事前提示システム。
【請求項６】
前記カバレッジホールリストからカバレッジホール境界点位置情報を削除するように設定されるカバレッジホール情報削除モジュールをさらに含み、
前記カバレッジホール情報削除モジュールは、検出ユニット、及び情報削除ユニットを含み、
前記検出ユニットは、前記移動端末で現在受信される無線信号強度が前記予め設定されたカバレッジホール信号強度閾値以上であり、且つ前記移動端末の現在位置と前記カバレッジホールリストに記録されている１つ又は複数のカバレッジホール境界点位置との間の距離が予め設定された第２カバレッジホール距離閾値以下であることを検出した時、前記情報削除ユニットをオンにするように設定され、
前記情報削除ユニットは、前記カバレッジホールリストから、前記移動端末の現在位置との距離が前記予め設定された第２カバレッジホール距離閾値以下のカバレッジホール境界点の記録を削除するように設定され、
前記第２カバレッジホール距離閾値が前記第１カバレッジホール距離閾値未満である請求項５に記載のシステム。
【請求項７】
前記測位モジュールはさらに、前記移動端末を測位して前記移動端末の現在位置情報を取得する前、前記移動端末が信号カバレッジホール事前提示機能をオンにしているか否かを判定し、オンにしていると、前記移動端末を測位して前記移動端末の現在位置情報を取得するように設定される請求項５に記載のシステム。
【請求項８】
前記移動端末の現在位置情報は、前記移動端末の所在する経緯度座標を含む請求項５に記載のシステム。
【発明の詳細な説明】
【技術分野】
【０００１】
本発明は移動通信技術分野に関し、特に信号カバレッジホールの事前提示方法及びシステムに関する。
【背景技術】
【０００２】
移動通信技術の急速な発展につれて、携帯電話を代表とする移動端末機器は人々の生活に大きな利便性をもたらしているが、それは幾つかの良いネットワークカバレッジが揃っていることを前提にしたものである。しかしながら、モバイルネットワーク自体の特性によって、モバイルネットワークが移動端末の移動可能な隅々、例えば、山岳地帯、海上、地下駐車場、及び高い建物の合間などをカバーすることは極めて難しい。それらの不感地帯によって、移動端末の使用は様々な不都合がもたらされ、ユーザ体験に深刻な影響を与える。無線ネットワークカバレッジホール及び不感地帯に起因するユーザの不都合を解消するために、事前に提示することにより、サービスエリア外となることによるユーザの損失を低減させ、ユーザ体験を向上させる。
【０００３】
関連技術では、移動端末がサービスエリア外となり、すなわち、ネットワークカバレッジホールに入ってから、やっとユーザにサービスエリア外を提示できるので、ユーザは移動端末のサービスエリア外の提示が遅すぎると感じてしまう。従って、移動端末がネットワークカバレッジホールに入る前、ユーザに関連の警告提示を与え、移動端末のユーザ体験を向上させることができる新たな技術手段が必要となる。
【発明の概要】
【発明が解決しようとする課題】
【０００４】
本発明の実施例は、移動端末がネットワークカバレッジホールに入る前に、ユーザがカバレッジホールに入ることを事前に提示し、ユーザ体験を向上させることができる信号カバレッジホールの事前提示方法及びシステムを提供する。
【課題を解決するための手段】
【０００５】
本発明の実施例は、移動端末で用いられる、信号カバレッジホールの事前提示方法を提供し、
前記移動端末を測位して、前記移動端末の現在位置情報を取得することと、
前記移動端末の現在位置とカバレッジホールリストに記録されている各カバレッジホール境界点位置との間の距離を決定することと、
前記距離のうちの１つ又は複数が予め設定された第１カバレッジホール距離閾値以下である時、ユーザに信号カバレッジホールへの接近中を提示することと、を含む。
【０００６】
選択的に、前記方法は、前記カバレッジホールリストにカバレッジホール境界点位置情報を追加することをさらに含んでもよく、
前述した前記カバレッジホールリストにカバレッジホール境界点位置情報を追加するステップは、
前記移動端末で受信される無線信号強度が、予め設定されたカバレッジホール信号強度閾値以上から前記予め設定されたカバレッジホール信号強度閾値未満に変化したかどうかを検出し、そうであると、前記移動端末を測位して前記移動端末の現在位置情報を取得することと、
前記カバレッジホールリスト中に、前記移動端末の現在位置情報と同一又は類似の位置情報の記録が存在するか否かを判定し、存在しないと、前記移動端末の現在位置情報を新たなカバレッジホール境界点位置情報として前記カバレッジホールリストに記憶することと、を含み、
２つの位置情報が類似又は同一であることは、２つの位置情報に対応する位置の間の距離が距離識別閾値以下であることを意味する。
【０００７】
選択的に、前記方法は、前記カバレッジホールリストからカバレッジホール境界点位置情報を削除することをさらに含んでもよく、
前述した前記カバレッジホールリストからカバレッジホール境界点位置情報を削除するステップは、
前記移動端末で現在受信される無線信号強度が、前記予め設定されたカバレッジホール信号強度閾値以上であり、且つ前記移動端末の現在位置と前記カバレッジホールリストに記録されている１つ又は複数のカバレッジホール境界点位置との間の距離が予め設定された第２カバレッジホール距離閾値以下であることを検出した時、前記カバレッジホールリストから、前記移動端末の現在位置との距離が前記予め設定された第２カバレッジホール距離閾値以下のカバレッジホール境界点の記録を削除することを含み、
前記第２カバレッジホール距離閾値が前記第１カバレッジホール距離閾値未満である。
【０００８】
選択的に、前記方法は、前記移動端末を測位して前記移動端末の現在位置情報を取得する前、前記移動端末が信号カバレッジホール事前提示機能をオンにしているか否かを判定し、オンにしていると、前記移動端末を測位して前記移動端末の現在位置情報を取得することをさらに含んでもよい。
【０００９】
選択的に、前記移動端末の現在位置情報は、前記移動端末の所在する経緯度座標を含む。
【００１０】
本発明の実施例は、移動端末に用いられる、信号カバレッジホールの事前提示システムをさらに提供し、
前記移動端末を測位して前記移動端末の現在位置情報を取得するように設定される測位モジュールと、
前記移動端末の現在位置とカバレッジホールリストに記録されている各カバレッジホール境界点位置との間の距離を決定するように設定される距離算出モジュールと、
前記距離のうちの１つ又は複数が予め設定された第１カバレッジホール距離閾値以下である時、ユーザに対し信号カバレッジホールへの接近中を提示するように設定されるカバレッジホール判定及び提示モジュールと、を含む。
【００１１】
選択的に、前記システムは、前記カバレッジホールリストにカバレッジホール境界点位置情報を追加するように設定されるカバレッジホール情報追加モジュールをさらに含んでもよく、
前記カバレッジホール情報追加モジュールは、検出ユニット、及び情報追加ユニットを含み、
前記検出ユニットは、前記移動端末で受信される無線信号強度が予め設定されたカバレッジホール信号強度閾値以上から前記予め設定されたカバレッジホール信号強度閾値未満に変化したかどうかを検出し、そうであると、前記移動端末を測位して前記移動端末の現在位置情報を取得し、前記情報追加ユニットをオンにするように設定され、
前記情報追加ユニットは、前記カバレッジホールリスト中に、前記移動端末の現在位置情報と同一又は類似の位置情報の記録が存在するか否かを判定し、存在しないと、前記移動端末の現在位置情報を新たなカバレッジホール境界点位置情報として前記カバレッジホールリストに記憶するように設定され、
２つの位置情報が類似又は同一であることは、２つの位置情報に対応する位置の間の距離が距離識別閾値以下であることを意味する。
【００１２】
選択的に、前記システムは、前記カバレッジホールリストからカバレッジホール境界点位置情報を削除するように設定されるカバレッジホール情報削除モジュールをさらに含んでもよく、
前記カバレッジホール情報削除モジュールは、検出ユニット、及び情報削除ユニットを含み、
前記検出ユニットは、前記移動端末で現在受信される無線信号強度が前記予め設定されたカバレッジホール信号強度閾値以上であり、且つ前記移動端末の現在位置と前記カバレッジホールリストに記録されている１つ又は複数のカバレッジホール境界点位置との間の距離が予め設定された第２カバレッジホール距離閾値以下であることを検出した時、前記情報削除ユニットをオンにするように設定され、
前記情報削除ユニットは、前記カバレッジホールリストから、前記移動端末の現在位置との距離が前記予め設定された第２カバレッジホール距離閾値以下のカバレッジホール境界点の記録を削除するように設定され、
前記第２カバレッジホール距離閾値が前記第１カバレッジホール距離閾値未満である。
【００１３】
選択的に、前記測位モジュールはさらに、前記移動端末を測位して前記移動端末の現在位置情報を取得する前、前記移動端末が信号カバレッジホール事前提示機能をオンにしているか否かを判定し、オンにしていると、前記移動端末を測位して前記移動端末の現在位置情報を取得するように設定されてもよい。
【００１４】
選択的に、前記移動端末の現在位置情報は、前記移動端末の所在する経緯度座標を含んでもよい。
【発明の効果】
【００１５】
本発明の実施例によれば、移動端末がネットワークカバレッジホールに入る前、ユーザに移動端末がカバレッジホールに間もなく入ることを事前に提示し、ユーザ体験を向上させることができる。
【図面の簡単な説明】
【００１６】
【図１】図１は、本発明の実施例に係る信号カバレッジホールの事前提示方法のフローチャートである。
【図２】図２は、本発明の実施例に係る信号カバレッジホールの事前提示システムの構成模式図である。
【発明を実施するための形態】
【００１７】
以下、図面を参照しながら本発明の実施例を詳細に説明する。なお、矛盾しない場合、本願における実施例及び実施例における特徴を互いに組み合わせることができる。
【００１８】
図１に示すように、本発明の実施例は、移動端末に用いられる信号カバレッジホールの事前提示方法を提供し、
移動端末を測位して、移動端末の現在位置情報を取得するステップＳ１０と、
前記移動端末の現在位置とカバレッジホールリストに記録されている各カバレッジホール境界点位置との間の距離を決定するステップＳ２０と、
前記距離のうちの１つ又は複数が予め設定された第１カバレッジホール距離閾値以下である時、ユーザに信号カバレッジホールへの接近中を提示するステップＳ３０と、を含む。
【００１９】
前記カバレッジホールリストにカバレッジホール境界点位置情報を追加することをさらに含み、
前記した前記カバレッジホールリストにカバレッジホール境界点位置情報を追加するステップは、
移動端末で受信される無線信号強度が、予め設定されたカバレッジホール信号強度閾値以上から前記予め設定されたカバレッジホール信号強度閾値未満に変化したか否かを検出し、そうであると、移動端末を測位して移動端末の現在位置情報を取得することと、
カバレッジホールリスト中に、前記移動端末の現在位置情報と同一又は類似の位置情報の記録が存在するか否かを判定し、存在しないと、前記移動端末の現在位置情報を新たなカバレッジホール境界点位置情報としてカバレッジホールリストに記憶することとを含み、
２つの位置情報が類似又は同一であることは、２つの位置情報に対応する位置の間の距離が、基地局のカバレッジ及びカバレッジホール境界点の離散度に基づき設定される距離識別閾値以下であることを意味することを特徴とする。
【００２０】
前記無線信号は、ＧＳＭ（Global System for Mobile Communications、グローバル・システム・フォー・モバイル・コミュニケーションズ）信号、ＣＤＭＡ（Code Division Multiple Access、符号分割多元接続）信号、ＷＣＤＭＡ（Wideband Code Division Multiple Access、広帯域符号分割多元接続）信号、ＴＤ−ＳＣＤＭＡ（Time Division-Synchronization Code Division Multiple Access、時分割同期復信符号分割多元接続）信号、ＷｉＭＡＸ（World Interoperability for Microwave Access、ワールド・インターオペラビリティ・フォー・マイクロウェーブ・アクセス）信号、ＬＴＥ（Long Term Evolution、ロング・ターム・エボリューション）信号、及びＷｉＦｉ（Wireless Fidelity、ワイファイ）信号のいずれかであってもよい。
【００２１】
前記無線信号強度は、信号感度、又は１ビット当りの信号エネルギー対雑音電力密度比で計測可能であり、
前記無線信号強度が信号感度で計測される場合、前記予め設定されたカバレッジホール信号強度閾値を−１０５ｄｂｍに設定してもよく、前記無線信号強度が１ビット当りの信号エネルギー対雑音電力密度比で計測される場合、前記予め設定されたカバレッジホール信号強度閾値を−１５ｄｂに設定してもよい。
【００２２】
前記第１カバレッジホール距離閾値は無線ネットワークのタイプに合わせて設定可能であり、例えば、ＣＤＭＡネットワークに対して、カバレッジホール警告距離閾値Ｒ１を３０−５０メートルに設定してもよい。
【００２３】
該方法は、前記カバレッジホールリストからカバレッジホール境界点位置情報を削除することをさらに含み、
前述した前記カバレッジホールリストからカバレッジホール境界点位置情報を削除するステップは、
移動端末で現在受信される無線信号強度が、予め設定されたカバレッジホール信号強度閾値以上であり、且つ前記移動端末の現在位置とカバレッジホールリストに記録されている１つ又は複数のカバレッジホール境界点位置との間の距離が予め設定された第２カバレッジホール距離閾値以下であることを検出したする時、前記カバレッジホールリストから、前記移動端末の現在位置との距離が予め設定された第２カバレッジホール距離閾値以下のカバレッジホール境界点記録を削除することを含み、
前記第２カバレッジホール距離閾値が前記第１カバレッジホール距離閾値未満であり、
例えば、ＣＤＭＡネットワークに対して、カバレッジホール警告距離閾値Ｒ１を３０−５０メートル、カバレッジホール範囲距離閾値Ｒ２を５−２０メートル、距離識別閾値を第２カバレッジホール距離閾値の２倍、例えば、１０−４０メートルに設定してもよい。
【００２４】
例えば、前記カバレッジホールリストからカバレッジホール境界点位置情報を削除する処理について、カバレッジホールリストに３つのカバレッジホール境界点が含まれ、第２カバレッジホール距離閾値を２０メートルに設定するとすれば、移動端末で現在受信される無線信号強度は前記予め設定されたカバレッジホール信号強度閾値以上であり、且つ前記移動端末を測位した後、前記移動端末の現在位置と前記カバレッジホールリストにおける３つのカバレッジホール境界点位置との間の距離値Ｌを、Ｌ１＝１５メートル、Ｌ２＝２５メートル、Ｌ３＝４０メートルに算出し、Ｌ１のみが第２カバレッジホール距離閾値未満であると、前記カバレッジホールリストからＬ１に対応するカバレッジホール境界点位置記録を削除する。
【００２５】
移動端末に対する測位の進行は、全地球測位システム（Global Positioning System、ＧＰＳ）モジュール、又はＷｉＦｉ測位モジュール、又は基地局測位モジュール、又はネットワーク補助ＧＰＳモジュール、又は現在の無線ネットワークに完全に依存する測位方式ではない他の測位モジュールによって、移動端末を測位することを含む。選択的に、ＧＰＳモジュールによって移動端末を測位してもよい。
【００２６】
前記移動端末の現在位置情報は、移動端末の地理位置座標、例えば、移動端末の所在する経緯度座標を含む。
【００２７】
ステップＳ１０において、移動端末を測位して移動端末の現在位置情報を取得する前、前記方法は、前記移動端末が信号カバレッジホール事前提示機能をオンにしているか否かを判定し、オンにしていると、移動端末を測位して移動端末の現在位置情報を取得することをさらに含み、
ステップＳ３０において、前記したユーザに対する信号カバレッジホールへの接近中の提示は、振動通知、音声通知、指示灯通知及び文字通知などの通知方式のうちの１種を用いてもよく、複数種を組み合わせて用いてもよい。
【００２８】
図２に示すように、本発明の実施例は、移動端末に用いられる、信号カバレッジホールの事前提示システムを提供し、
移動端末を測位して、移動端末の現在位置情報を取得するように設定される測位モジュール１１と、
前記移動端末の現在位置とカバレッジホールリストに記録されている各カバレッジホール境界点位置との間の距離を決定するように設定される距離算出モジュール１２と、
前記距離のうちの１つ又は複数が予め設定された第１カバレッジホール距離閾値以下である時、ユーザに対し信号カバレッジホールへの接近中を提示するように設定されるカバレッジホール判定及び提示モジュール１３と、を含む。
【００２９】
前記システムは、前記カバレッジホールリストにカバレッジホール境界点位置情報を追加するように設定されるカバレッジホール情報追加モジュール１４をさらに含み、
該カバレッジホール情報追加モジュール１４は、検出ユニット、及び情報追加ユニットを含み、
検出ユニットは、移動端末で受信される無線信号強度が予め設定されたカバレッジホール信号強度閾値以上から前記予め設定されたカバレッジホール信号強度閾値未満に変化したか否かを検出し、そうであると、移動端末を測位して移動端末の現在位置情報を取得し、情報追加ユニットをオンにするように設定され、
情報追加ユニットは、カバレッジホールリスト中に、前記移動端末の現在位置情報と同一又は類似の位置情報記録が存在するか否かを判定し、存在しないと、前記移動端末の現在位置情報を新たなカバレッジホール境界点位置情報としてカバレッジホールリストに記憶するように設定され、
２つの位置情報が類似又は同一であることは、２つの位置情報に対応する位置の間の距離が距離識別閾値以下であることを意味することを特徴とする。
【００３０】
前記システムは、前記カバレッジホールリストからカバレッジホール境界点位置情報を削除するように設定されるカバレッジホール情報削除モジュール１５をさらに含み、
該カバレッジホール情報削除モジュール１５は、検出ユニット、及び情報削除ユニットを含み、
検出ユニットは、移動端末で現在受信される無線信号強度が予め設定されたカバレッジホール信号強度閾値以上であり、且つ前記移動端末の現在位置とカバレッジホールリストに記録されている１つ又は複数のカバレッジホール境界点位置との間の距離が予め設定された第２カバレッジホール距離閾値以下であることを検出した時、情報削除ユニットをオンにするように設定され、
情報削除ユニットは、前記カバレッジホールリストから、前記移動端末の現在位置との距離が予め設定された第２カバレッジホール距離閾値以下のカバレッジホール境界点の記録を削除するように設定され、
前記第２カバレッジホール距離閾値が前記第１カバレッジホール距離閾値未満である。
【００３１】
前記測位モジュール１１はさらに、移動端末を測位して移動端末の現在位置情報を取得する前、前記移動端末が信号カバレッジホール事前提示機能をオンにしているか否かを判定し、オンにしていると、移動端末を測位して移動端末の現在位置情報を取得するように設定される。
【００３２】
前記移動端末の現在位置情報は、移動端末の所在する経緯度座標を含む。
【００３３】
上記実施例に係る信号カバレッジホールの事前提示方法及びシステムは、移動端末に用いられ、移動端末の現在位置と信号カバレッジホール境界点位置との間の距離に基づき移動端末がカバレッジホール警告領域にあるか否かを判定し、そうであると、ユーザに対し信号カバレッジホールへの接近中を提示し、移動端末がネットワークカバレッジホールに入る前、ユーザに移動端末がカバレッジホールに間もなく入ることを事前に提示し、ユーザ体験を向上させることができる。
【００３４】
当業者は、上記方法のステップの全て又は一部は、コンピュータ可読記憶媒体、例えば、読み取り専用メモリ、磁気ディスク又は光ディスクなどに記憶されてもよいプログラムによって関連ハードウェアに命令を出して実行可能であると理解すべきである。選択的に、上記実施例のステップの全て又は一部は１つ又は複数の集積回路によって実現されてもよく、それに対して、上記実施例における各モジュール／ユニットはハードウェアの形態で実現されてもよく、ソフトウェア機能モジュールの形態で実現されてもよい。本発明の実施例はいずれの特定形式のハードウェアとソフトウェアの組み合わせにも限定されない。
【００３５】
なお、本発明は、様々な他の実施例を行うことができ、本発明の主旨及び実質を逸脱せずに、当業者は本発明の実施例に基づき様々な変更や変形を行うことができ、それらの変更や変形がいずれも本発明に付される請求の範囲の保護範囲に属する。
【産業上の利用可能性】
【００３６】
本発明の実施例によれば、移動端末がネットワークカバレッジホールに入る前、ユーザに移動端末がカバレッジホールに間もなく入ることを事前に提示し、ユーザ体験を向上させることができる。
【図１】
0005993094.tif 000002
【図２】
0005993094.tif 000003